(57)【特許請求の範囲】
【請求項１】
浴槽側と洗い場側を仕切る堤防部に、排水口を有する切欠状の排水溝を形成し、該排水溝内に収まり前記排水口を浴槽側と洗い場側に分割して仕切ることのできる仕切板を、前記堤防部に着脱可能に設け、該仕切板に対し、前記排水口に嵌め込まれるヘアキャッチャーを、回転させることにより一体化できるように構成したことを特徴とする防水パン排水構造。
【請求項２】
仕切板にヘアキャッチャーを一体固定させた状態で、浴槽側と洗い場側を隙間なく仕切れるように、前記仕切板には、ヘアキャッチャーを嵌め込む係入切欠部が形成され、前記ヘアキャッチャーには、前記係入切欠部を閉塞する仕切片部が形成されていることを特徴とする請求項１に記載の防水パン排水構造。
【請求項３】
仕切板にヘアキャッチャーを一体化させた固定状態でのガタつきがないように、前記仕切板には、垂下状に押さえリブが形成され、前記ヘアキャッチャーには、前記押さえリブと当接する上方へ隆起したオーバーフロー部が形成されていることを特徴とする請求項２に記載の防水パン排水構造。
【発明の詳細な説明】
【０００１】
【産業上の利用分野】
この発明は、ユニットバスルームの底面を構成する防水パンの排水構造に関するものである。
【０００２】
【従来の技術及びその課題】
従来、図１３に示すように、ユニットバスの底面を構成する防水パン５１には、洗い場側５２と浴槽側５３を仕切る堤防部５４が形成され、堤防部５４の浴槽側５３には、浴槽からの排水を流す浴槽側排水口５５が形成されており、また、堤防部５４の洗い場側５２には、洗い場の排水を流す洗い場側排水口５６が形成されたものとなっている。
従来においては、洗い場側５２と浴槽側５３で、別々に排水口５５，５６が形成されており、洗い場側排水口５６は洗い場側５２から清掃することができるが、浴槽側排水口５５は、浴槽の底側の手の入りにくい位置に形成されているため、この浴槽側排水口５５の掃除が困難であり、浴槽側排水口５５が詰まってしまうと、浴槽側排水口５５の下流に設けられている逆止弁がうまく作動せずに水が溜まってしまうという問題点があった。
【０００３】
【課題を解決するための手段】
本発明は上記従来の問題点に鑑み案出したものであって、排水口を１個にして、洗い場側からの排水と浴槽側からの排水を良好に排水させることができ、しかも掃除が容易となる防水パンの排水構造を提供せんことを目的とし、その第１の要旨は、浴槽側と洗い場側を仕切る堤防部に、排水口を有する切欠状の排水溝を形成し、該排水溝内に収まり前記排水口を浴槽側と洗い場側に分割して仕切ることのできる仕切板を、前記堤防部に着脱可能に設け、該仕切板に対し、前記排水口に嵌め込まれるヘアキャッチャーを、回転させることにより一体化できるように構成したことである。
また、第２の要旨は、仕切板にヘアキャッチャーを一体固定させた状態で、浴槽側と洗い場側を隙間なく仕切れるように、前記仕切板には、ヘアキャッチャーを嵌め込む係入切欠部が形成され、前記ヘアキャッチャーには、前記係入切欠部を閉塞する仕切片部が形成されていることである。
また、第３の要旨は、仕切板にヘアキャッチャーを一体化させた固定状態でのガタつきがないように、前記仕切板には、垂下状に押さえリブが形成され、前記ヘアキャッチャーには、前記押さえリブと当接する上方へ隆起したオーバーフロー部が形成されていることである。
【０００４】
【実施例】
以下、本発明の実施例を図面に基づいて説明する。
図１は、ユニットバスの底面を構成する防水パン１の斜視構成図であり、防水パン１には、洗い場２と、浴槽を設置する浴槽設置面３が、堤防部４で仕切られており、堤防部４の中央部には切欠状に切欠部５が形成されて、この切欠部５により排水溝６が形成されており、排水溝６の底面側には排水口７が形成されている。
【０００５】
この排水溝６の周辺の拡大構成図を図２に示すと、切欠部５の排水溝６側には一段低く嵌め込み段部５ａが一体形成されており、この嵌め込み段部５ａに対し、洗い場２側から嵌め込むことのできる仕切板８が別途用意されており、この仕切板８を嵌め込み段部５ａに嵌め込んで、仕切板８により堤防部４を連続させて、洗い場２側と浴槽設置面３側を仕切ることができるように構成されており、また、排水口７にはヘアキャッチャー１５が嵌め込まれるが、本例では、このヘアキャッチャー１５は、回転させることで仕切板８の下端側に一体化させることができるように構成されている。
【０００６】
先ず、仕切板８を、図３の斜視図で、また図４の側面断面図で示し説明すると、仕切板８は、その上面を形成する上面片９の左右両端側に、裏側から下方へ垂下状に垂下リブ９ａ，９ａが一体形成されており、また、上面片９の前端から垂下状に垂下片１０が一体形成されており、垂下片１０の左右両端側には前方側へ膨出した当接片１０ａ，１０ａが一体形成されている。また、垂下片１０の下端には水平片１１が一体形成されており、水平片１１の前端には垂下状に前垂れ片１２が一体形成されている。この前垂れ片１２の中央部には、下方側から長方形状に切り欠いて係入切欠部１２ａが形成されており、この係入切欠部１２ａの左右側には、貫通状にロック孔１２ｂ，１２ｂが形成されている。また、ロック孔１２ｂ，１２ｂの内側の前記水平片１１の裏面には、下方側へ垂下状に押さえリブ１１ａ，１１ａが一体形成されている。
【０００７】
このような構造の仕切板８は、切欠部５の嵌め込み段部５ａ上に載せられると、上面片９及び当接片１０ａ，１０ａが堤防部４と連続した状態に配置されて、垂下片１０が排水口７側へ垂下し、前垂れ片１２が排水口７の上面を横切るように配置されて排水溝６内に収められ、排水口７を前垂れ片１２により洗い場２側と浴槽設置面３側に２分割して仕切ることができるように構成されている。また、水平片１１の前端側中央部に半円状に形成されている中央凹部１１ｂが排水口７の上方に配置されるものである。
【０００８】
次に、ヘアキャッチャー１５を、図５の斜視図で、また図６の平面図で示し説明すると、ヘアキャッチャー１５は、前記排水口７内に嵌め込むことのできるリング状のリング枠部１５ａ内に網部１５ｂが形成されており、網部１５ｂの中央部には一体状に立ち上げて円形柱部１５ｄが一体形成され、円形柱部１５ｄから左右方向に延びてリング枠部１５ａの外側へ延び出す仕切片部１６が立設されており、この仕切片部１６に沿って、網部１５ｂから隆起して浴槽側オーバーフロー部１５ｃが形成されている。また、仕切片部１６の左右端にはそれぞれピン１７，１７が対向する方向に突出形成されており、各ピン１７，１７の反対側には摘み部１８，１８が形成されている。
【０００９】
このヘアキャッチャー１５の円形柱部１５ｄは、前記仕切板８の中央凹部１１ｂ内に嵌まり込むことができ、また、ヘアキャッチャー１５の仕切片部１６は、仕切板８の前垂れ片１２にほぼ連続状となり、係入切欠部１２ａを閉塞できる形状及び寸法に設定されている。
このヘアキャッチャー１５は水平面内で回転させることで、左右のピン１７，１７を前記仕切板８のロック孔１２ｂ，１２ｂ内に差し込んで、仕切板８にロックさせて固定することができ、また、反対側へ回転させることにより、ロック孔１２ｂ，１２ｂからピン１７，１７を抜き出して取り外せるように構成されている。
【００１０】
なお、仕切板８の前垂れ片１２にヘアキャッチャー１５がロック状態で一体化された時には、図７に側面図で示すように、仕切板８の押さえリブ１１ａ，１１ａの下端に、ヘアキャッチャー１５の浴槽側オーバーフロー部１５ｃの上面が当接した状態となり、ガタつきが生じることなく、強固に仕切板８とヘアキャッチャー１５が一体化されるように構成されている。
【００１１】
このような構成において、図８の概略図で示すように、浴槽設置面３上に浴槽２０を設置し、また、洗い場２側にはカウンター２２を設置して、堤防部４上にエプロン２１を立設させた状態で、エプロン２１の下端を手で持ち上げて、エプロン２１の上端を浴槽のフランジ部２０ａに差し込んで上端を固定させ、エプロン２１を持ち上げたままの状態で、洗い場２側から仕切板８を排水溝６内に嵌め込んで、前述した如く、仕切板８を切欠部の嵌め込み段部５ａに載置して、図９のように、排水溝６内に仕切板８を仕切状に収めることができ、その後に図１０に示すように、ヘアキャッチャー１５の摘み部１８，１８を浴槽２０に向けた状態で、ヘアキャッチャー１５を排水口７に嵌め込み、その状態で、ヘアキャッチャー１５を図１１に示すように時計方向に回転させると、ヘアキャッチャー１５は排水口７内で水平に回転して、一方側のピン１７は仕切板の前垂れ片１２に前面側からロック孔１２ｂ内に挿入され、また、他方側のピン１７は前垂れ片１２の裏側からロック孔１２ｂ内に挿入されてロック状態となり、この時に、ヘアキャッチャー１５の仕切片部１６が仕切板８の係入切欠部１２ａを閉塞し、この状態で、仕切板８の前垂れ片１２とヘアキャッチャー１５の仕切片部１６により隙間なく排水溝６内が仕切られて、排水口７は洗い場２側と浴槽２０側に２分割されるものである。従って、この状態では、洗い場２側からの排水及び浴槽２０からの排水を共に１個の排水口７に良好に流し込むことができるものとなる。
なお、洗い場２側の排水溝６内には、最終的には図示しない目皿が取り付けられて、目皿により排水溝６はスッキリとした状態で覆蓋されるものである。
【００１２】
また、掃除の時等には、図１２に示すように、ヘアキャッチャー１５の摘み部１８を手で持って反時計方向に回すことにより、ロック孔１２ｂ，１２ｂからピン１７，１７を抜き取って、良好にヘアキャッチャー１５を取り外すことができ、さらにその状態で、仕切板８も取り外して、排水口７及び排水溝６内を良好に掃除することができ、しかも洗い場２側から良好に浴槽設置面３を掃除できるものとなる。
【００１３】
【発明の効果】
本発明の防水パン排水構造は、浴槽側と洗い場側を仕切る堤防部に、排水口を有する切欠状の排水溝を形成し、排水溝内に収まり排水口を浴槽側と洗い場側に分割して仕切ることのできる仕切板を、堤防部に着脱可能に設け、仕切板に対し、排水口に嵌め込まれるヘアキャッチャーを、回転させることにより一体化できるように構成したことにより、排水溝内に仕切板を取り付け、さらに仕切板に、回転させてヘアキャッチャーを一体化させることができ、１個の排水口に洗い場側からも浴槽側からも排水を流し込むことができる。
また、洗い場側から逆方向に回転させてヘアキャッチャーを取り外し、さらに仕切板を取り外して、容易に排水口を掃除することができ、さらには洗い場側から浴槽側をも良好に掃除して、清潔な状態に維持できるものとなる。
【００１４】
また、仕切板にヘアキャッチャーを一体固定させた状態で、浴槽側と洗い場側を隙間なく仕切れるように、仕切板には、ヘアキャッチャーを嵌め込む係入切欠部が形成され、ヘアキャッチャーには、係入切欠部を閉塞する仕切片部が形成されていることにより、仕切板に対しヘアキャッチャーを一体固定させた状態では、ヘアキャッチャーの仕切片部が仕切板の係入切欠部を閉塞して、浴槽側と洗い場側を隙間なく良好に仕切ることができるものとなる。
【００１５】
また、仕切板にヘアキャッチャーを一体化させた固定状態でのガタつきがないように、仕切板には、垂下状に押さえリブが形成され、ヘアキャッチャーには、押さえリブと当接する上方へ隆起したオーバーフロー部が形成されていることにより、仕切板の押さえリブとヘアキャッチャーのオーバーフロー部が当接してガタつきがなく、強固に仕切板とヘアキャッチャーが一体固定されるものとなる。
【図面の簡単な説明】
【図１】防水パンの斜視構成図である。
【図２】排水溝周辺と仕切板とヘアキャッチャーの分解斜視図である。
【図３】仕切板の斜視構成図である。
【図４】仕切板の側面断面構成図である。
【図５】ヘアキャッチャーの斜視構成図である。
【図６】ヘアキャッチャーの平面構成図である。
【図７】仕切板にヘアキャッチャーを一体固定させた状態の側面構成図である。
【図８】エプロンを持ち上げて排水溝内に仕切板を入れ込む前の斜視構成図である。
【図９】排水溝内に仕切板を収めた状態の拡大斜視構成図である。
【図１０】さらに仕切板に対しヘアキャッチャーを取り付ける前の分解斜視図である。
【図１１】ヘアキャッチャーを時計方向に回転させて仕切板に固定させる作用を説明する平面拡大構成図である。
【図１２】逆に反時計方向にヘアキャッチャーを回してヘアキャッチャーを取り外す状態の平面拡大構成図である。
【図１３】従来の防水パンの平面構成図である。
【符号の説明】
１  防水パン
２  洗い場
３  浴槽設置面
４  堤防部
５  切欠部
５ａ  嵌め込み段部
６  排水溝
７  排水口
８  仕切板
９  上面片
９ａ  垂下リブ
１０  垂下片
１１  水平片
１１ａ  押さえリブ
１１ｂ  中央凹部
１２  前垂れ片
１２ａ  係入切欠部
１２ｂ  ロック孔
１５  ヘアキャッチャー
１５ａ  リング枠部
１５ｂ  網部
１５ｃ  浴槽側オーバーフロー部
１５ｄ  円形柱部
１７  ピン
１８  摘み部
２０  浴槽
２０ａ  フランジ部
２１  エプロン
【図１】
0003783206.tif 000002
【図２】
0003783206.tif 000003
【図３】
0003783206.tif 000004
【図４】
0003783206.tif 000005
【図５】
0003783206.tif 000006
【図６】
0003783206.tif 000007
【図７】
0003783206.tif 000008
【図８】
0003783206.tif 000009
【図９】
0003783206.tif 000010
【図１０】
0003783206.tif 000011
【図１１】
0003783206.tif 000012
【図１２】
0003783206.tif 000013
【図１３】
0003783206.tif 000014